(57)【特許請求の範囲】
【請求項１】
紙文書をスキャンすることで電子画像データを生成する画像処理装置と、前記電子画像データをレコードごとに記憶するためのデータベースを記憶する記憶手段を備えるサーバ装置と、撮影により生成される撮影画像データの登録要求を前記サーバ装置に送信可能な携帯端末とを含む情報処理システムであって、
前記サーバ装置は、
前記データベースのレコードに対する前記撮影画像データの登録要求を前記携帯端末から受け付ける登録要求受付手段と、
前記登録要求受付手段で受け付けた前記撮影画像データを前記レコードに対して登録する登録手段と、
前記登録手段で前記撮影画像データが前記レコードに登録される度に、当該レコードに対応付ける電子画像データを前記画像処理装置で生成するために用いられるスキャンチケットを生成するスキャンチケット生成手段と、
前記スキャンチケット生成手段で生成されたスキャンチケットを前記画像処理装置に送信するスキャンチケット送信手段と、
前記スキャンチケット送信手段で送信されたスキャンチケットを用いて生成された電子画像データを、当該スキャンチケットに対応する前記レコードに対応づけて前記記憶手段に保存する保存手段と
を備え、
前記画像処理装置は、
前記サーバ装置から送信されたスキャンチケットを受信するスキャンチケット受信手段と、
前記スキャンチケット受信手段で受信したスキャンチケットを用いて、紙文書のスキャンを制御するスキャン制御手段と、
前記スキャン制御手段に応じて生成される電子画像データを前記サーバ装置に送信する電子画像データ送信手段と
を備え、
前記スキャンチケット生成手段は、前記登録手段で前記撮影画像データが登録されたレコードに対応する前記スキャンチケットが生成済みである場合には、当該レコードに対応する新たな前記スキャンチケットを生成せず、前記登録手段で前記撮影画像データが登録されたレコードに対応する前記スキャンチケットが生成されていない場合には、当該レコードに対応する前記スキャンチケットを生成することを特徴とする情報処理システム。
【請求項２】
前記携帯端末は、当該携帯端末の位置情報を取得する位置情報取得手段を更に備え、
前記保存手段は、更に前記位置情報取得手段で取得した位置情報を前記レコードと対応づけて保存することを特徴とする請求項１に記載の情報処理システム。
【請求項３】
前記電子画像データ送信手段は、前記スキャン制御手段に応じて生成される電子画像データと、更に前記紙文書の種別を示す情報とを前記サーバ装置に送信し、
前記保存手段は、前記画像処理装置から送信された前記電子画像データと前記紙文書の種別を示す情報とを、当該スキャンチケットに対応する前記レコードに対応づけて前記記憶手段に保存することを特徴とする請求項１または２に記載の情報処理システム。
【請求項４】
前記画像処理装置は、
前記スキャンチケット受信手段で受信したスキャンチケットと前記紙文書の種別を示す情報との選択を受け付ける画面を表示するよう制御する表示制御手段を更に備え、
前記電子画像データ送信手段は、前記スキャン制御手段に応じて生成される電子画像データと、前記表示制御手段で表示された画面において選択を受け付けた前記紙文書の種別を示す情報とを前記サーバ装置に送信することを特徴とする請求項３に記載の情報処理システム。
【請求項５】
紙文書をスキャンすることで電子画像データを生成する画像処理装置と、前記電子画像データをレコードごとに記憶するためのデータベースを記憶する記憶手段を備えるサーバ装置と、撮影により生成される撮影画像データの登録要求を前記サーバ装置に送信可能な携帯端末とを含む情報処理システムの制御方法であって、
前記サーバ装置の登録要求受付手段が、前記データベースのレコードに対する前記撮影画像データの登録要求を前記携帯端末から受け付ける登録要求受付ステップと、
前記サーバ装置の登録手段が、前記登録要求受付ステップで受け付けた前記撮影画像データを前記レコードに対して登録する登録ステップと、
前記サーバ装置のスキャンチケット生成手段が、前記登録手段で前記撮影画像データが前記レコードに登録される度に、当該レコードに対応付ける電子画像データを前記画像処理装置で生成するために用いられるスキャンチケットを生成するスキャンチケット生成ステップと、
前記サーバ装置のスキャンチケット送信手段が、前記スキャンチケット生成ステップで生成されたスキャンチケットを前記画像処理装置に送信するスキャンチケット送信ステップと、
前記画像処理装置のスキャンチケット受信手段が、前記サーバ装置から送信されたスキャンチケットを受信するスキャンチケット受信ステップと、
前記画像処理装置のスキャン制御手段が、前記スキャンチケット受信ステップで受信したスキャンチケットを用いて、紙文書のスキャンを制御するスキャン制御ステップと、
前記画像処理装置の電子画像データ送信手段が、前記スキャン制御ステップに応じて生成される電子画像データを前記サーバ装置に送信する電子画像データ送信ステップと、
前記サーバ装置の保存手段が、前記スキャンチケット送信ステップで送信されたスキャンチケットを用いて生成された電子画像データを、当該スキャンチケットに対応する前記レコードに対応づけて前記記憶手段に保存する保存ステップと
を備え、
前記スキャンチケット生成ステップは、前記登録ステップで前記撮影画像データが登録されたレコードに対応する前記スキャンチケットが生成済みである場合には、当該レコードに対応する新たな前記スキャンチケットを生成せず、前記登録ステップで前記撮影画像データが登録されたレコードに対応する前記スキャンチケットが生成されていない場合には、当該レコードに対応する前記スキャンチケットを生成することを特徴とする情報処理システムの制御方法。
【請求項６】
紙文書をスキャンすることで電子画像データを生成する画像処理装置と、前記電子画像データをレコードごとに記憶するためのデータベースを記憶する記憶手段を備えるサーバ装置と、撮影により生成される撮影画像データの登録要求を前記サーバ装置に送信可能な携帯端末とを含む情報処理システムの制御方法を実行可能なプログラムであって、
前記サーバ装置を、
前記データベースのレコードに対する前記撮影画像データの登録要求を前記携帯端末から受け付ける登録要求受付手段と、
前記登録要求受付手段で受け付けた前記撮影画像データを前記レコードに対して登録する登録手段と、
前記登録手段で前記撮影画像データが前記レコードに登録される度に、当該レコードに対応付ける電子画像データを前記画像処理装置で生成するために用いられるスキャンチケットを生成するスキャンチケット生成手段と、
前記スキャンチケット生成手段で生成されたスキャンチケットを前記画像処理装置に送信するスキャンチケット送信手段と、
前記スキャンチケット送信手段で送信されたスキャンチケットを用いて生成された電子画像データを、当該スキャンチケットに対応する前記レコードに対応づけて前記記憶手段に保存する保存手段
として機能させ、
前記画像処理装置を、
前記サーバ装置から送信されたスキャンチケットを受信するスキャンチケット受信手段と、
前記スキャンチケット受信手段で受信したスキャンチケットを用いて、紙文書のスキャンを制御するスキャン制御手段と、
前記スキャン制御手段に応じて生成される電子画像データを前記サーバ装置に送信する電子画像データ送信手段
として機能させ、
前記スキャンチケット生成手段は、前記登録手段で前記撮影画像データが登録されたレコードに対応する前記スキャンチケットが生成済みである場合には、当該レコードに対応する新たな前記スキャンチケットを生成せず、前記登録手段で前記撮影画像データが登録されたレコードに対応する前記スキャンチケットが生成されていない場合には、当該レコードに対応する前記スキャンチケットを生成することを特徴とするプログラム。
【請求項７】
電子画像データを生成するために用いられるスキャンチケットであって、サーバ装置から送信されたスキャンチケットを受信するスキャンチケット受信手段と、
前記スキャンチケット受信手段で受信したスキャンチケットを用いて、紙文書のスキャンを制御するスキャン制御手段と、
前記スキャン制御手段に応じて生成される電子画像データを前記サーバ装置に送信する電子画像データ送信手段と
を備える画像処理装置と、撮影により生成される撮影画像データの登録要求をサーバ装置に送信可能な携帯端末と通信可能に接続され、
前記電子画像データをレコードごとに記憶するためのデータベースを記憶する記憶手段
を備えるサーバ装置であって、
前記データベースのレコードに対する前記撮影画像データの登録要求を前記携帯端末から受け付ける登録要求受付手段と、
前記登録要求受付手段で受け付けた前記撮影画像データを前記レコードに対して登録する登録手段と、
前記登録手段で前記撮影画像データが前記レコードに登録される度に、当該レコードに対応付ける電子画像データを前記画像処理装置で生成するために用いられるスキャンチケットを生成するスキャンチケット生成手段と、
前記スキャンチケット生成手段で生成されたスキャンチケットを前記画像処理装置に送信するスキャンチケット送信手段と、
前記スキャンチケット送信手段で送信されたスキャンチケットを用いて生成された電子画像データを、当該スキャンチケットに対応する前記レコードに対応づけて前記記憶手段に保存する保存手段と
を備え、
前記スキャンチケット生成手段は、前記登録手段で前記撮影画像データが登録されたレコードに対応する前記スキャンチケットが生成済みである場合には、当該レコードに対応する新たな前記スキャンチケットを生成せず、前記登録手段で前記撮影画像データが登録されたレコードに対応する前記スキャンチケットが生成されていない場合には、当該レコードに対応する前記スキャンチケットを生成することを特徴とするサーバ装置。
【請求項８】
電子画像データを生成するために用いられるスキャンチケットであって、サーバ装置から送信されたスキャンチケットを受信するスキャンチケット受信手段と、
前記スキャンチケット受信手段で受信したスキャンチケットを用いて、紙文書のスキャンを制御するスキャン制御手段と、
前記スキャン制御手段に応じて生成される電子画像データを前記サーバ装置に送信する電子画像データ送信手段と
を備える画像処理装置と、撮影により生成される撮影画像データの登録要求をサーバ装置に送信可能な携帯端末と通信可能に接続され、
前記電子画像データをレコードごとに記憶するためのデータベースを記憶する記憶手段
を備えるサーバ装置の制御方法であって、
前記サーバ装置の登録要求受付手段が、前記データベースのレコードに対する前記撮影画像データの登録要求を前記携帯端末から受け付ける登録要求受付ステップと、
前記サーバ装置の登録手段が、前記登録要求受付ステップで受け付けた前記撮影画像データを前記レコードに対して登録する登録ステップと、
前記サーバ装置のスキャンチケット生成手段が、前記登録手段で前記撮影画像データが前記レコードに登録される度に、当該レコードに対応付ける電子画像データを前記画像処理装置で生成するために用いられるスキャンチケットを生成するスキャンチケット生成ステップと、
前記サーバ装置のスキャンチケット送信手段が、前記スキャンチケット生成ステップで生成されたスキャンチケットを前記画像処理装置に送信するスキャンチケット送信ステップと、
前記サーバ装置の保存手段が、前記スキャンチケット送信ステップで送信されたスキャンチケットを用いて生成された電子画像データを、当該スキャンチケットに対応する前記レコードに対応づけて前記記憶手段に保存する保存ステップと
を備え、
前記スキャンチケット生成ステップは、前記登録ステップで前記撮影画像データが登録されたレコードに対応する前記スキャンチケットが生成済みである場合には、当該レコードに対応する新たな前記スキャンチケットを生成せず、前記登録ステップで前記撮影画像データが登録されたレコードに対応する前記スキャンチケットが生成されていない場合には、当該レコードに対応する前記スキャンチケットを生成することを特徴とするサーバ装置の制御方法。
【請求項９】
電子画像データを生成するために用いられるスキャンチケットであって、サーバ装置から送信されたスキャンチケットを受信するスキャンチケット受信手段と、
前記スキャンチケット受信手段で受信したスキャンチケットを用いて、紙文書のスキャンを制御するスキャン制御手段と、
前記スキャン制御手段に応じて生成される電子画像データを前記サーバ装置に送信する電子画像データ送信手段と
を備える画像処理装置と、撮影により生成される撮影画像データの登録要求を前記サーバ装置に送信可能な携帯端末と通信可能に接続され、
前記電子画像データをレコードごとに記憶するためのデータベースを記憶する記憶手段
を備えるサーバ装置の制御方法を実行可能なプログラムであって、
前記サーバ装置を、
前記データベースのレコードに対する前記撮影画像データの登録要求を前記携帯端末から受け付ける登録要求受付手段と、
前記登録要求受付手段で受け付けた前記撮影画像データを前記レコードに対して登録する登録手段と、
前記登録手段で前記撮影画像データが前記レコードに登録される度に、当該レコードに対応付ける電子画像データを前記画像処理装置で生成するために用いられるスキャンチケットを生成するスキャンチケット生成手段と、
前記スキャンチケット生成手段で生成されたスキャンチケットを前記画像処理装置に送信するスキャンチケット送信手段と、
前記スキャンチケット送信手段で送信されたスキャンチケットを用いて生成された電子画像データを、当該スキャンチケットに対応する前記レコードに対応づけて前記記憶手段に保存する保存手段
として機能させ、
前記スキャンチケット生成手段は、前記登録手段で前記撮影画像データが登録されたレコードに対応する前記スキャンチケットが生成済みである場合には、当該レコードに対応する新たな前記スキャンチケットを生成せず、前記登録手段で前記撮影画像データが登録されたレコードに対応する前記スキャンチケットが生成されていない場合には、当該レコードに対応する前記スキャンチケットを生成することを特徴とするプログラム。
【発明の詳細な説明】
【技術分野】
【０００１】
本発明は、複数の関連する画像データを記憶するデータベースに画像データを登録する技術に関する。
【背景技術】
【０００２】
従来、不動産業界では、物件の写真や間取り図、物件概要の資料などをまとめて管理している。中小の不動産会社では、その多くは、紙で管理されており、例えば物件ごとに異なるクリアファイルに資料をまとめるなどしていることが一般的である。
【０００３】
これでは、大量の物件の中から所望の物件の情報を効率的に見つけ出すのは難しい。そこで、特許文献１に記載されているように、物件の情報をデータベースに登録しておき、所望の物件の検索条件の入力を受け付けることで、その検索条件に合致した物件の提供することが行われてきている。
【先行技術文献】
【特許文献】
【０００４】
【特許文献１】特開２００４−１１８５８１号公報
【発明の概要】
【発明が解決しようとする課題】
【０００５】
しかし、特許文献１のようなデータベースを構築する際には、紙文書を電子化し電子画像データを作成してデータベースに登録する必要がある。データベースに登録する際に、誤ったレコードに登録してしまうなどの人為的なミスが発生してしまうと、顧客に正しい情報を提供できなくなってしまうという問題が発生する。
【０００６】
また、紙文書を読み取ることにより作成した電子画像データをデータベース等に登録するためには、スキャナ等で電子画像データを作成し、一旦パーソナルコンピュータ（ＰＣ）等に保存し、その後、データベースシステムに登録しなければならず、担当者に負荷がかかってしまうという問題もある。
【０００７】
本発明の目的は、携帯端末から送信される撮影画像データがデータベースのレコードに登録されることにより生成される、紙文書をスキャンするために用いるスキャンチケットが、重複して生成されないように抑止する仕組みを提供することである。
【課題を解決するための手段】
【０００８】
上記の目的を達成するために、本発明の情報処理システムは、紙文書をスキャンすることで電子画像データを生成する画像処理装置と、前記電子画像データをレコードごとに記憶するためのデータベースを記憶する記憶手段を備えるサーバ装置と、撮影により生成される撮影画像データの登録要求を前記サーバ装置に送信可能な携帯端末とを含む情報処理システムであって、前記サーバ装置は、前記データベースのレコードに対する前記撮影画像データの登録要求を前記携帯端末から受け付ける登録要求受付手段と、前記登録要求受付手段で受け付けた前記撮影画像データを前記レコードに対して登録する登録手段と、前記登録手段で前記撮影画像データが前記レコードに登録される度に、当該レコードに対応付ける電子画像データを前記画像処理装置で生成するために用いられるスキャンチケットを生成するスキャンチケット生成手段と、前記スキャンチケット生成手段で生成されたスキャンチケットを前記画像処理装置に送信するスキャンチケット送信手段と、前記スキャンチケット送信手段で送信されたスキャンチケットを用いて生成された電子画像データを、当該スキャンチケットに対応する前記レコードに対応づけて前記記憶手段に保存する保存手段とを備え、前記画像処理装置は、前記サーバ装置から送信されたスキャンチケットを受信するスキャンチケット受信手段と、前記スキャンチケット受信手段で受信したスキャンチケットを用いて、紙文書のスキャンを制御するスキャン制御手段と、前記スキャン制御手段に応じて生成される電子画像データを前記サーバ装置に送信する電子画像データ送信手段とを備え、前記スキャンチケット生成手段は、前記登録手段で前記撮影画像データが登録されたレコードに対応する前記スキャンチケットが生成済みである場合には、当該レコードに対応する新たな前記スキャンチケットを生成せず、前記登録手段で前記撮影画像データが登録されたレコードに対応する前記スキャンチケットが生成されていない場合には、当該レコードに対応する前記スキャンチケットを生成することを特徴とする。
【０００９】
上記の目的を達成するために、本発明のサーバ装置は、電子画像データを生成するために用いられるスキャンチケットであって、サーバ装置から送信されたスキャンチケットを受信するスキャンチケット受信手段と、前記スキャンチケット受信手段で受信したスキャンチケットを用いて、紙文書のスキャンを制御するスキャン制御手段と、前記スキャン制御手段に応じて生成される電子画像データを前記サーバ装置に送信する電子画像データ送信手段とを備える画像処理装置と、撮影により生成される撮影画像データの登録要求をサーバ装置に送信可能な携帯端末と通信可能に接続され、前記電子画像データをレコードごとに記憶するためのデータベースを記憶する記憶手段を備えるサーバ装置であって、前記データベースのレコードに対する前記撮影画像データの登録要求を前記携帯端末から受け付ける登録要求受付手段と、前記登録要求受付手段で受け付けた前記撮影画像データを前記レコードに対して登録する登録手段と、前記登録手段で前記撮影画像データが前記レコードに登録される度に、当該レコードに対応付ける電子画像データを前記画像処理装置で生成するために用いられるスキャンチケットを生成するスキャンチケット生成手段と、前記スキャンチケット生成手段で生成されたスキャンチケットを前記画像処理装置に送信するスキャンチケット送信手段と、前記スキャンチケット送信手段で送信されたスキャンチケットを用いて生成された電子画像データを、当該スキャンチケットに対応する前記レコードに対応づけて前記記憶手段に保存する保存手段とを備え、前記スキャンチケット生成手段は、前記登録手段で前記撮影画像データが登録されたレコードに対応する前記スキャンチケットが生成済みである場合には、当該レコードに対応する新たな前記スキャンチケットを生成せず、前記登録手段で前記撮影画像データが登録されたレコードに対応する前記スキャンチケットが生成されていない場合には、当該レコードに対応する前記スキャンチケットを生成することを特徴とする。
【発明の効果】
【００１０】
本発明によれば、携帯端末から送信される撮影画像データがデータベースのレコードに登録されることにより生成される、紙文書をスキャンするために用いるスキャンチケットが、重複して生成されないように抑止することができる。
【図面の簡単な説明】
【００１１】
【図１】本発明の実施の形態における情報処理システムのシステム構成の一例を示す図である。
【図２】図１のサーバ装置１０１に適用可能なハードウェア構成の一例を示す図である。
【図３】図１の複合機１０３のハードウェア構成の一例を示す図である。
【図４】サーバ装置１０１のＣＰＵ２０１によって行われる処理の概要を示すフローチャートである。
【図５】スマートフォン１０５によって行われる、写真撮影・保存処理を示すフローチャートである。
【図６】図４のステップＳ４０２の撮影画像データ登録処理の詳細を示すフローチャートである。
【図７】図４のステップＳ４０４の関連画像データ登録処理の詳細を示すフローチャートである。
【図８】図４のステップＳ４０６の登録データ閲覧処理の詳細を示すフローチャートである。
【図９】スマートフォン１０５の表示部に表示される撮影画像データ登録画面の構成の一例を示す図である。
【図１０】複合機１０３の操作部３０８のＬＣＤ表示部に表示されるスキャン指示画面の構成の一例を示す図である。
【図１１】クライアント装置１０２のディスプレイ装置に表示される登録物件データ閲覧画面の構成の一例を示す図である。
【図１２】サーバ装置１０１の外部メモリ２１１に記憶されている物件データテーブルのデータ構成の一例を示す図である。
【図１３】サーバ装置１０１の外部メモリ２１１に記憶されているスキャンチケットデータテーブルのデータ構成の一例を示す図である。
【発明を実施するための形態】
【００１２】
以下、図面を参照して、本発明の実施の形態の一例について説明する。
【００１３】
図１は、本発明の実施の形態における情報処理システムのシステム構成の一例を示す図である。図１に示す通り、本発明の情報処理システムは、サーバ装置１０１、クライアント装置１０２、複合機１０３、ＬＡＮ１０４、スマートフォン１０５、広域ネットワーク１０６等を備えて構成されている。
【００１４】
サーバ装置１０１は、クライアント装置１０２やスマートフォン１０５、複合機１０３から送信される各種の画像データを対応付けて管理するサーバ装置である。また、そのために、スマートフォン１０５から撮影画像データを受信した場合に、紙文書をスキャンして作成される電子画像データを当該撮影画像データに関連付けて保存するために使用するスキャンチケットを作成する。スキャンチケットは、複合機１０３からの要求があった場合に、複合機１０３に送信されることになる。
【００１５】
尚、スキャンチケットとは、複合機１０３によるスキャン処理により作成される画像データを、どのデータレコードに登録するかを指定するために用いられるものである。
【００１６】
クライアント装置１０２は、ユーザが使用する端末装置であって、サーバ装置１０１に保存されている各種の画像データの閲覧要求を行うために用いられる。
【００１７】
複合機１０３は、スマートフォン１０５で撮影された撮影画像データに関連付けてサーバ装置１０１に保存する電子画像データを紙文書に対する読み取り処理を行うことで作成する。その際に、サーバ装置１０１に対して、スキャンチケットを要求し、要求に応じてサーバ装置１０１から送信されるスキャンチケットを選択可能に表示する。そして、ユーザからスキャンチケットの指定を受け付ける。紙文書に対する読み取り処理を行うことで作成される画像データは、スキャンチケットに対応付けられているデータレコードに登録されることになる。
【００１８】
ＬＡＮ１０４は、サーバ装置１０１、クライアント装置１０２、複合機１０３を相互に通信可能に接続するためのネットワークであり、接続形態は有線／無線を問わない。
【００１９】
スマートフォン１０５は、物件を撮影するために用いられるモバイル端末である。また、撮影処理により作成された撮影画像データの登録要求をサーバ装置１０１に対して行う際にも用いられる。
【００２０】
広域通信網１０６は、サーバ装置１０１等とスマートフォン１０５を相互に通信可能に接続するためのネットワークである。
【００２１】
以上が、本発明の情報処理システムのシステム構成の一例の説明である。
【００２２】
次に、図２を参照して、図１のサーバ装置１０１に適用可能な情報処理装置のハードウェア構成の一例について説明する。
【００２３】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Basic Input / Output System）やオペレーティングシステムプログラム（以下、ＯＳ）や、サーバ装置１０１が実行する機能を実現するために必要な後述する各種プログラム等が記憶されている。
【００２４】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２５】
また、２０５は入力コントローラで、キーボードやポインティングデバイス等の入力装置２０９からの入力を制御する。２０６はビデオコントローラで、ディスプレイ装置２１０等の表示器への表示を制御する。これらは必要に応じて操作者が使用するものである。
【００２６】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２７】
２０８は通信Ｉ／Ｆ（インタフェース）コントローラで、ネットワーク（例えば、図１に示したＬＡＮ１０４）を介して外部機器と接続・通信するものであり、ネットワークでの通信制御処理を実行する。例えば、ＴＣＰ／ＩＰを用いた通信等が可能である。
【００２８】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００２９】
本発明を実現するための後述するフローチャートに示す各ステップの処理は、コンピュータで読み取り実行可能なプログラムにより実行され、そのプログラムは外部メモリ２１１に記録されている。そして、必要に応じてＲＡＭ２０２にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００３０】
尚、図１のクライアント装置１０２もサーバ装置１０１と略同様のハードウェア構成を有しているので、詳細な説明は割愛する。
【００３１】
次に、図３を参照して、図１の複合機１０３のハードウェア構成について説明する。図３は、図１の複合機１０３のハードウェア構成の一例を示すブロック図である。
【００３２】
図３において、３１６はコントローラユニットで、画像入力デバイスとして機能するスキャナ３１４や、画像出力デバイスとして機能するプリンタ３１２と接続する一方、ＬＡＮ１０４や公衆回線（ＷＡＮ）（例えば、ＰＳＴＮまたはＩＳＤＮ等）と接続することで、電子画像データやデバイス情報の入出力を行う。
【００３３】
コントローラユニット３１６において、３０１はＣＰＵで、システム全体を制御するプロセッサである。３０２はＲＡＭで、ＣＰＵ３０１が動作するためのシステムワークメモリであり、プログラムを記録するためのプログラムメモリや、電子画像データを一時記録するための画像メモリでもある。
【００３４】
３０３はＲＯＭで、システムのブートプログラムや各種制御プログラムが格納されている。３０４はハードディスクドライブ（ＨＤＤ）で、システムを制御するための各種プログラム，電子画像データ等を格納する。
【００３５】
３０７は操作部インタフェース（操作部Ｉ／Ｆ）で、操作部３０８とのインタフェース部である。また、操作部Ｉ／Ｆ３０７は、操作部３０８から入力したキー情報（例えば、スタートボタンの押下）をＣＰＵ３０１に伝える役割をする。
【００３６】
３０５はネットワークインタフェース（ネットワークＩ／Ｆ）で、ＬＡＮ１０４等のネットワークに接続し、データの入出力を行う。３０６はモデムで、公衆回線に接続し、ＦＡＸの送受信等のデータの入出力を行う。
【００３７】
３１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、本実施形態においてはユーザの認証を行う際に必要となる非接触ＩＣカード（記憶媒体）の読み取り用のカードリーダ３１９が外部Ｉ／Ｆ部３１８に接続されている。そして、ＣＰＵ３０１は、この外部Ｉ／Ｆ３１８を介してカードリーダ３１９によるＩＣカードからの情報読み取りを制御し、該ＩＣカードから読み取られた情報を取得可能である。以上のデバイスがシステムバス３０９上に配置される。
【００３８】
３２０はイメージバスインタフェース（イメージバスＩ／Ｆ）であり、システムバス３０９と電子画像データを高速で転送する画像バス３１５とを接続し、データ構造を変換するバスブリッジである。画像バス３１５は、ＰＣＩバスまたはＩＥＥＥ１３９４で構成される。画像バス３１５上には以下のデバイスが配置される。
【００３９】
３１０はラスタイメージプロセッサ（ＲＩＰ）で、例えば、ＰＤＬコード等のベクトルデータをビットマップイメージに展開する。３１１はプリンタインタフェース（プリンタＩ／Ｆ）で、プリンタ３１２とコントローラユニット３１６を接続し、電子画像データの同期系／非同期系の変換を行う。また、３１３はスキャナインタフェース（スキャナＩ／Ｆ）で、スキャナ３１４とコントローラユニット３１６を接続し、電子画像データの同期系／非同期系の変換を行う。
【００４０】
３１７は画像処理部で、入力画像データに対し補正、加工、編集を行ったり、プリント出力画像データに対して、プリンタの補正、解像度変換等を行ったりする。また、これに加えて、画像処理部３１７は、電子画像データの回転や、多値画像データに対してはＪＰＥＧ、２値画像データはＪＢＩＧ、ＭＭＲ、ＭＨ等の圧縮伸張処理を行う。そして、この画像処理部３１７は、スキャナ３１４を駆動して画像読み取りされた電子画像データを画像処理して、ファイル出力可能な形式（例えば、ＰＤＦ形式ファイル）に変換し、ＣＰＵ３０１と連携して、ネットワークＩ／Ｆ３０５を介して、外部装置に電子画像データのファイルを送信することができる。
【００４１】
スキャナ３１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部３０８から読み取り起動指示することにより、ＣＰＵ３０１がスキャナ３１４に指示を与え、フィーダは原稿用紙を１枚ずつフィードし原稿画像の読み取り動作を行う。
【００４２】
プリンタ３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３０１からの指示によって開始する。なお、プリンタ３１２には、異なる用紙サイズまたは異なる用紙向きを選択できるように複数の給紙段を持ち、それに対応した用紙カセットがある。
【００４３】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。また、操作部３０８は、各種操作キーとして、例えば、スタートキー、ストップキー、ＩＤキー、リセットキー等を備える。
【００４４】
尚、表示部はプリンタによって表示性能が異なり、タッチパネルを介して操作をできるプリンタ、単に液晶画面を備え文字列を表示（印刷状態や印刷している文書名の表示）させるだけのプリンタによって本発明は構成されている。
【００４５】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部３０８のストップキーは、稼働中の動作を止める働きをする。また、操作部３０８のＩＤキーは、使用者のユーザＩＤを入力する時に用いる。リセットキーは、操作部からの設定を初期化する時に用いる。
【００４６】
カードリーダ３１９は、ＣＰＵ３０１からの制御により、非接触ＩＣカードに記憶されている情報を読み取り、該読み取った情報を外部Ｉ／Ｆ３１８を介してＣＰＵ３０１へ通知する。
【００４７】
以上のような構成によって、複合機１０３は、スキャナ３１４で文書を読む込むことで作成される電子画像データをＬＡＮ１０４上に送信したり、ＬＡＮ１０４から受信した印刷データをプリンタ３１２により印刷出力したりすることができる。
【００４８】
また、スキャナ３１４で文書を読み込むことで作成された電子画像データをモデム３０６により、公衆回線上にＦＡＸ送信したり、公衆回線からＦＡＸ受信した電子画像データをプリンタ３１２により出力したりすることができる。以上が、図１の複合機１０３のハードウェア構成の一例である。
【００４９】
次に、図４を参照して、図１のサーバ装置１０１のＣＰＵ２０１によって行われる処理の概要について説明する。本図に示す処理をサーバ装置１０１のＣＰＵ２０１に実行させるためのプログラムは外部メモリ２１１に記憶されており、処理実行に際しＣＰＵ２０１は当該プログラムをＲＡＭ２０２にロードし、ロードしたプログラムによる制御に従って、本処理を実行することになる。
【００５０】
サーバ装置１０１のＣＰＵ２０１は、本図に示す処理において、スマートフォン１０５（またはクライアント装置１０２）からの撮影画像データ登録要求、複合機１０３からの関連画像データ登録要求、クライアント装置１０２（またはスマートフォン１０５）からの登録データ閲覧要求を受け付けている（それぞれステップＳ４０１、ステップＳ４０３、ステップＳ４０５）。
【００５１】
スマートフォン１０５（またはクライアント装置１０２）からの撮影画像データ登録要求を受け付けると（ステップＳ４０１でＹＥＳ）、処理をステップＳ４０２に進め、撮影画像データ登録処理を行う。この処理の詳細については、図６を参照して説明する。
【００５２】
また、複合機１０３からの関連画像データ登録要求を受け付けると（ステップＳ４０３でＹＥＳ）、処理をステップＳ４０４に進め、関連画像データ登録処理を行う。この処理の詳細については、図７を参照して説明する。
【００５３】
さらに、クライアント装置１０２（またはスマートフォン１０５）からの登録データ閲覧要求を受け付けると（ステップＳ４０５でＹＥＳ）、処理をステップＳ４０６に進め、登録データ閲覧処理を行う。この処理の詳細については、図８を参照して説明する。
【００５４】
そして、以上の処理を、本図に示す処理を終了すると判定する（ステップＳ４０７でＹＥＳと判定する）まで繰り返し行うことになる。以上が、サーバ装置１０１のＣＰＵ２０１によって行われる処理の概要の説明である。
【００５５】
次に、図５を参照して、スマートフォン１０５によって行われる、写真撮影・保存処理について説明する。この処理は、ユーザが不動産物件の撮影をスマートフォン１０５を用いて行う際に、スマートフォン１０５によって行われる処理を示している。
【００５６】
スマートフォン１０５は、ユーザからの撮影指示を受け付けると、写真撮影を行う（ステップＳ５０１）。そしてその後、ＧＰＳ機能を用いて、写真撮影を行った際の位置情報を取得する（ステップＳ５０２）。
【００５７】
そして、ステップＳ５０２で取得した位置情報を対応付けて、撮影処理を行うことで作成した撮影画像データを保存する（ステップＳ５０３）。この時、撮影画像中に位置情報を含ませるようにしても、撮影画像には位置情報は含ませず、例えば同一のフォルダに撮影画像データと位置情報とを記憶する等により対応付けるようにしても、いずれでも構わない。
【００５８】
以上が、スマートフォン１０５によって行われる写真撮影・保存処理の説明である。
【００５９】
次に、図６を参照して、図４のステップＳ４０２の撮影画像データ登録処理の詳細について説明する。
【００６０】
図６は、スマートフォン１０５とサーバ装置１０１によって行われる撮影画像登録処理の詳細を示すフローチャートである。図６のステップＳ６０１からステップＳ６１２に示す処理はスマートフォン１０５によって行われる処理である。また、ステップＳ６２１からステップＳ６３２に示す処理は、サーバ装置１０１のＣＰＵ２０１によって行われる処理である。
【００６１】
まず、スマートフォン１０５は、サーバ装置１０１に対して、撮影画像登録要求を送信する（ステップＳ６０１）。スマートフォン１０５からの撮影画像登録要求を受信すると（ステップＳ６２１：この要求を受信することで、サーバ装置１０１のＣＰＵ２０１は図４のステップＳ４０１でＹＥＳと判定する）、処理をステップＳ６２２に進め、図９に示す撮影画像データ登録画面９００を表示させるための画面情報を、要求を行ってきたスマートフォン１０５に対して送信する。
【００６２】
スマートフォン１０５は、サーバ装置１０１から撮影画像登録画面９００を表示させるための画面情報を受信すると（ステップＳ６０２）、当該画面情報に従って、表示部に撮影画像登録画面９００を表示する（ステップＳ６０３）。
【００６３】
ここで、図９を参照して、スマートフォン１０５の表示部に表示される撮影画像登録画面９００の構成の一例について説明する。
【００６４】
図９に示す通り、撮影画像登録画面９００には、登録画像データ入力部９０１、参照ボタン９０２、物件名入力部９０３、住所入力部９０４、スキャンチケット公開フラグ９０５、登録ボタン９０６、キャンセルボタン９０７が設定されている。
【００６５】
撮影画像データ入力部９０１は、撮影画像データを特定するための情報（例えばパス情報）を入力するために用いられる入力部である。
【００６６】
参照ボタン９０２は、撮影画像データを指定するための指定画面を表示部に表示させるために用いられるボタンであり、このボタンに対する押下指示を受け付けると、スマートフォン１０５は、不図示の撮影画像データ指定画面を表示部に表示し、該指定画面を介して、撮影画像データの指定を受け付ける。尚、不図示の撮影画像データ指定画面で指定を受け付けた撮影画像データを特定するための情報（例えばパス情報）は、撮影画像データ入力部９０１に入力されることになる。
【００６７】
物件名入力部９０３は、住所入力欄９０４はそれぞれ、撮影画像が示す物件の物件名、住所を入力するために用いられる入力部である。
【００６８】
スキャンチケット公開フラグ９０５は、この撮影画像データをサーバ装置１０１に登録する際に作成されるスキャンチケットを、他のユーザに公開するか否かを設定するフラグである。
【００６９】
登録ボタン９０６は、撮影画像データを本画面で設定された各種の情報とともにサーバ装置１０１に送信し、登録させるために用いられるボタンである。キャンセルボタン９０７は、撮影画像データの登録を行うことなく、本画面を介した処理を終了するために用いられるボタンである。以上が、撮影画像データ登録画面９００の構成の一例の説明である。
【００７０】
図６の説明に戻る。ステップＳ６０３において、表示部に撮影画像データ登録画面９００を表示した後に、当該画面を介して、登録する撮影画像データや、各種の情報（物件名、住所、スキャンチケットの公開／非公開の情報）を受け付ける（ステップＳ６０４、ステップＳ６０５）。
【００７１】
その後、撮影画像データ登録画面９００中の登録ボタン９０６に対する押下指示を受け付けることにより入力される登録指示を受け付けると（ステップＳ６０６でＹＥＳ）、撮影画像データ入力部９０１に入力された撮影画像データ特定情報に従って、保存されている撮影画像データを取得し（ステップＳ６０７）、ステップＳ６０７で取得した撮影画像データ、及びステップＳ６０５で入力を受け付けた各種情報をサーバ装置１０１に対して送信する（ステップＳ６０８）。
【００７２】
サーバ装置１０１のＣＰＵ２０１は、スマートフォン１０５から送信された撮影画像データ及び各種情報を受信すると、図１２に示す物件データテーブル１２００に、紐付候補となるレコードがあるかを判定する（ステップＳ６２４）。例えば、物件名や、住所が同一であるレコードがある場合に、サーバ装置１０１のＣＰＵ２０１は、紐付候補となるレコードがあると判定する。
【００７３】
ステップＳ６２４の判定処理で紐付候補がない（ＮＯ）と判定した場合には、ＣＰＵ２０１は、処理をステップＳ６２５に進め、物件データテーブル１２００に新規のレコードを追加し、ステップＳ６２３で受信した情報を登録する。その後、処理をステップＳ６３１に進める。
【００７４】
ここで、図１２を参照して、サーバ装置１０１の外部メモリ２１１に記憶されている物件データテーブル１２００のデータ構成の一例について説明する。
【００７５】
図１２に示すように、物件データテーブル１２００は、物件ＩＤ１２０１、物件名１２０２、住所１２０３、築年数１２０４、管理会社１２０５、位置情報１２０６、撮影画像データ１２０７、間取り図画像データ１２０８、物件概要画像データ１２０９等のデータ項目を備えて構成されている。
【００７６】
物件ＩＤ１２０１は、物件データテーブル１２００に記憶されているそれぞれのレコードを一意に識別するための識別情報が登録されるデータ項目である。
【００７７】
物件名１２０２は、住所１２０３、築年数１２０４、管理会社１２０５はそれぞれ当該レコードで管理される物件の物件名、住所、築年数、管理会社に関する情報が登録されるデータ項目である。
【００７８】
位置情報１２０６は、当該物件の撮影画像データに対応付けられている位置情報が登録されるデータ項目であり、スマートフォン１０５が図５のステップＳ５０２で取得した位置情報が登録される。
【００７９】
撮影画像データ１２０７は、スマートフォン１０５で撮影を行うことで作成された撮影画像データが登録されるデータ項目である。間取り画像データ１２０８、物件概要１２０９はそれぞれ、後述する処理で複合機１０３により作成される間取り画像データ、物件概要画像データが登録されるデータ項目である。
【００８０】
なお、これら画像データをこのデータ項目に直接登録するようにしても、画像データは物件データテーブル１２００とは別の場所に記憶しておき、その画像データのパス情報をこれらデータ項目に登録するようしても、どちらでも構わない。以上が、図１２の物件データテーブルの構成の一例の説明である。
【００８１】
図６の説明に戻る。ステップＳ６２４の判定処理で、ＣＰＵ２０１が紐付対象の物件データが物件データテーブル１２００に登録されている（ＹＥＳ）と判定した場合、処理をステップＳ６２６に進め、物件データテーブル１２００から、紐付候補と判定されたレコードを取得し、その一覧をスマートフォン１０５に対して送信する。
【００８２】
スマートフォン１０５は、サーバ装置１０１から送信された紐付候補一覧を受信すると（ステップＳ６０９）、その一覧情報を表示部に表示し、紐付対象とするレコードの指定を受け付ける（ステップＳ６１０）。尚、既に登録されているレコードと紐付を行わない場合には、紐付対象レコードの指定を受け付けない。
【００８３】
そしてその後、紐付対象レコードの指定情報（紐付を行わない場合には、レコードは指定されない）をサーバ装置１０１に対して送信する（ステップＳ６１１）。
【００８４】
サーバ装置１０１のＣＰＵ２０１は、スマートフォン１０５から紐付対象レコードの指定情報を受信すると（ステップＳ６２７）、紐付対象レコードが指定されたか否かを判定する（ステップＳ６２８）。この判定処理で紐付対象レコードの指定が行われていない（ＮＯ）と判定した場合には、ＣＰＵ２０１は処理をステップＳ６２５に進め、物件データテーブル１２００に新規のレコードを追加し、ステップＳ６２３で受信した情報を登録する。その後、処理をステップＳ６３１に進める。
【００８５】
一方、ステップＳ６２８の判定処理で、紐付対象のレコードが指定されたと判定した場合には、処理をステップＳ６２９に進め、物件データテーブル１２００中の紐付対象として指定されたレコードに、ステップＳ６２３で受信した情報を登録する。
【００８６】
ステップＳ６２９の処理が終了後、そのレコードに画像データを登録するために用いるスキャンチケットが既に作成されているかを判定する（ステップＳ６３０）。この判定処理でＹＥＳと判定した場合には、ＣＰＵ２０１は処理をステップＳ６３２に、ＮＯと判定した場合には、処理をステップＳ６３１に進める。
【００８７】
ステップＳ６３１において、ＣＰＵ３０１は、物件データテーブル１２００中の、ステップＳ６２５で新たに作成したレコード、若しくはステップＳ６２９で各種の情報を登録したレコードに画像データを登録するために用いるスキャンチケットを作成し、スキャンチケットデータテーブル１３００に登録する。
【００８８】
ここで、図１３を参照して、サーバ装置１０１の外部メモリ２１１に記憶されているスキャンチケットデータテーブル１３００のデータ構成の一例について説明する。
【００８９】
図１３に示す通り、スキャンチケットデータテーブル１３００は、スキャンチケットＩＤ１３０１、物件ＩＤ１３０２、作成日１３０３、作成ユーザ１３０４、公開フラグ１３０５等のデータ項目を備えて構成されている。
【００９０】
スキャンチケットＩＤ１３０１は、スキャンチケットデータテーブル１３００に登録されているそれぞれのレコードを一意に識別するための識別情報が登録されるデータ項目である。
【００９１】
物件ＩＤ１３０２は、当該スキャンチケットを用いた後述する複合機１０３での画像データ作成処理により作成される画像データを、いずれの物件のレコードに登録するかを示す情報が登録されるデータ項目である。
【００９２】
作成日１３０３は、スキャンチケットが作成された日時を示す日時情報が登録されるデータ項目である。作成ユーザ１３０４は、当該スキャンチケットの作成指示を行ったユーザが登録されるデータ項目である。尚、スキャンチケットの作成指示を行ったユーザとは、スマートフォン１０５で撮影された撮影画像データの登録要求を行ったユーザを意味する。
【００９３】
公開フラグ１３０５は、作成ユーザ１３０４に登録されているユーザ以外が当該スキャンチケットを使用することを許可するか否かの情報が登録されるデータ項目であり、図９の撮影画像データ登録画面９００のスキャンチケット公開フラグ９０５の設定に従った情報が登録されることになる。
【００９４】
以上が、図１３のスキャンチケットデータテーブル１３００のデータ構成の一例の説明である。
【００９５】
図６の説明に戻る。ステップＳ６３０でＹＥＳと判定した場合、またはステップＳ６３１の処理が終了後、サーバ装置１０１のＣＰＵ２０１は処理をステップＳ６３２に進め、処理結果情報をスマートフォン１０５に対して送信する。
【００９６】
スマートフォン１０５は、サーバ装置１０１から送信された処理結果情報を受信すると、その情報を表示部に表示する。以上が、図４のステップＳ４０２の撮影画像データ登録処理の詳細な説明である。
【００９７】
尚、図６に示すステップＳ６０１からステップＳ６１２のスマートフォン１０５が行う処理をクライアント装置１０２のＣＰＵ２０１が行うようにしても良い。その場合、本処理が実行される前に、スマートフォン１０５で作成された撮影画像データは、クライアント装置１０２のＲＡＭ２０２または外部メモリ２１１に記憶されている必要がある。
【００９８】
例えば、スマートフォン１０５からクライアント装置１０２を操作するユーザが使用しているメールアドレスに対して、撮影画像データを添付した電子メールを送信する等の方法により、クライアント装置１０２のＲＡＭ２０２または外部メモリ２１１に撮影画像データを記憶させるようにすれば良い。
【００９９】
次に、図７を参照して、図４のステップＳ４０４の関連画像データ登録処理の詳細について説明する。
【０１００】
図７は、複合機１０３のＣＰＵ３０１とサーバ装置１０１のＣＰＵ２０１によって行われる関連画像データ登録処理の詳細を示すフローチャートである。図７のステップＳ７０１からステップＳ７１０に示す処理は複合機１０３のＣＰＵ３０１によって行われる処理である。また、ステップＳ７２１からステップＳ７２７に示す処理は、サーバ装置１０１のＣＰＵ２０１によって行われる処理である。
【０１０１】
まず、複合機１０３のＣＰＵ３０１は、不図示のステップにおいて、複合機１０３を操作するユーザのユーザ認証処理を行った後に、当該ユーザ認証処理で特定されたユーザを識別するための情報を含むスキャンチケットの一覧要求をサーバ装置１０１に対して送信する（ステップＳ７０１）。
【０１０２】
サーバ装置１０１のＣＰＵ２０１は、複合機１０３からのスキャンチケット一覧要求を受信すると（ステップＳ７２１：これにより、図４のステップＳ４０３で関連画像データ登録要求を受け付けたと判定することになる）、処理をステップＳ７２２に進め、スキャンチケットデータテーブル１３００に登録されているスキャンチケットのうち、複合機１０３を操作するユーザが使用可能なスキャンチケットを取得する。
【０１０３】
尚、複合機１０３を操作するユーザが使用可能なスキャンチケットとは、当該ユーザを識別するための識別情報が作成ユーザ１３０４に登録されているスキャンチケット及び、公開フラグ１３０５に公開を示す情報が登録されているスキャンチケットである。
【０１０４】
その後、サーバ装置１０１のＣＰＵ２０１は、ステップＳ７２２で取得したスキャンチケットの一覧を、要求を行ってきた複合機１０３に対して送信する（ステップＳ７２３）。
【０１０５】
複合機１０３のＣＰＵ３０１は、サーバ装置１０１から送信されたスキャンチケットの一覧を受信すると（ステップＳ７０２）、図１０に示す、スキャン指示画面１０００を操作部３０８のＬＣＤ表示部に表示することで、スキャンチケットの一覧を選択可能に表示することになる（ＵＩ表示：ステップＳ７０３）。
【０１０６】
ここで、図１０を参照して、図７のステップＳ７０３で複合機１０３のＬＣＤ表示部に表示されるスキャン指示画面１０００の構成の一例について説明する。
【０１０７】
図１０に示す通り、スキャン指示画面１０００は、メニュー表示部１００１、スキャンチケット一覧表示部１００２、スキャン原稿指定部１００３、スキャン開始ボタン１００４等を備えて構成されている。
【０１０８】
メニュー表示部１００１は、複合機１０３に対して、どのような操作を行うかを指示するために用いられるメニューボタンが表示される表示部である。このメニュー表示部１００１に表示されているスキャンチケットボタン１００１−１に対する押下指示を受け付けることで、複合機１０３のＣＰＵ３０１は、サーバ装置１０１に対してスキャンチケットの要求を行うことになる。
【０１０９】
スキャンチケット一覧表示部１００２は、サーバ装置１０１から受信した、認証処理により特定されるユーザが使用可能なスキャンチケットの一覧を表示する表示欄である。そして、複合機１０３のＣＰＵ３０１は、このスキャンチケット一覧表示部１００２に表示されているスキャンチケットから、原稿のスキャン処理に使用するスキャンチケットの選択を受け付けることになる。選択を受け付けたスキャンチケットは１００２−１のように白黒反転表示となり、いずれのスキャンチケットが選択されているかをユーザが認識することが出来る。
【０１１０】
スキャン原稿指定部１００３は、スキャンを行う現行の種別を指定する指定部である。尚、「間取り図」が指定された場合には、スキャン処理により作成される画像データが物件データテーブル１２００中の、選択したスキャンチケットと関連する該当レコードの間取り図画像データ１２０８に、「物件概要」が指定された場合には、物件概要画像データ１２０９に登録されることになる。
【０１１１】
スキャン開始ボタン１００４は、複合機１０３のＣＰＵ３０１に対して、スキャン開始指示を入力するために用いられるボタンである。
【０１１２】
以上が、図１０のスキャン指示画面１０００の構成の一例の説明である。
【０１１３】
図７の説明に戻る。ステップＳ７０３において、スキャン指示画面１０００を操作部３０８のＬＣＤ表示部に表示した後に、複合機１０３のＣＰＵ３０１は使用するスキャンチケットの選択指示、スキャン原稿の種別の選択を受け付ける（それぞれステップＳ７０４、ステップＳ７０５）。そして、スキャン開始ボタン１００４に対する押下指示を受け付けることで入力されるスキャン実行指示を受け付けたと判定すると（ステップＳ７０６でＹＥＳ）、処理をステップＳ７０７に進め、紙原稿のスキャン処理を行い、電子画像データを作成する（ステップＳ７０８）。
【０１１４】
そして、スキャンチケットＩＤ、スキャン原稿のデータ種別、ステップＳ７０８で作成した電子画像データをサーバ装置１０１に対して送信する（ステップＳ７０９）。
【０１１５】
サーバ装置１０１のＣＰＵ３０１は、複合機１０３から送信されたスキャンチケットＩＤ、スキャン原稿のデータ種別、ステップＳ７０８で作成した電子画像データを受信すると（ステップＳ７２４）、受信したスキャンチケットＩＤから、電子画像データを登録する物件データテーブル１２００中のレコードを特定し（ステップＳ７２５）、特定したレコードのスキャン原稿データ種別が示すデータ項目に、ステップＳ７２４で受信した画像データを登録する（ステップＳ７２６）。その後、その処理結果を複合機１０３に対して送信する（ステップＳ７２７）。
【０１１６】
サーバ装置１０１から処理結果を受信すると、複合機１０３のＣＰＵ３０１は、その処理結果情報に従った表示を操作部３０８のＬＣＤ表示部に行う。
【０１１７】
以上が、図４のステップＳ４０４の関連画像データ登録処理の詳細な説明である。
【０１１８】
次に、図８を参照して、図４のステップＳ４０６の登録データ閲覧処理の詳細について説明する。
【０１１９】
図８は、クライアント装置１０２のＣＰＵ２０１とサーバ装置１０１のＣＰＵ２０１とによって行われる登録データ閲覧処理の詳細を示すフローチャートである。図８のステップＳ８０１からステップＳ８１９に示す処理は、クライアント装置１０２のＣＰＵ２０１によって行われる処理である。また、ステップＳ８２１からステップＳ８３０に示す処理は、サーバ装置１０１のＣＰＵ２０１によって行われる処理である。
【０１２０】
まず、クライアント装置１０２のＣＰＵ２０１は、不図示のステップにおいて、認証処理を行うことで、クライアント装置１０２を操作するユーザを特定する。そして、特定されたユーザの識別情報を含むサーバ装置１０１に対して、物件データの一覧要求を送信する（ステップＳ８０１）。
【０１２１】
サーバ装置１０１のＣＰＵ２０１は、クライアント装置１０２からの物件データの一覧要求を受信すると（ステップＳ８２１：この要求を受信することでサーバ装置１０１のＣＰＵ２０１は、図４のステップＳ４０５でＹＥＳと判定する）、あらかじめ設定されているクライアント装置１０２を操作するユーザのデフォルトの地図表示領域を取得する（ステップＳ８２２）。
【０１２２】
そして、ステップＳ８２２で取得した地図領域内の物件データを物件データテーブル１２００から取得し（ステップＳ８２３）、図１１に示す登録物件データ閲覧画面１１００を表示するための画面情報及びステップＳ８２３で取得した物件データの一覧を、物件データの一覧要求を行ってきたクライアント装置１０２に対して送信する（ステップＳ８２４）。
【０１２３】
クライアント装置１０２のＣＰＵ２０１は、サーバ装置１０１から送信された画面情報及び物件データの一覧を受信すると（ステップＳ８０２）、ディスプレイ装置２１０に登録物件データ閲覧画面１１００を表示する（ステップＳ８０３）。
【０１２４】
ここで、図１１を参照して、図８のステップＳ８０３でクライアント装置１０２のディスプレイ装置２１０に表示される登録物件データ閲覧画面１１００の構成の一例について説明する。
【０１２５】
図１１に示す通り、登録物件データ閲覧画面１１００は、住所入力部１１０１、送信ボタン１１０２、地図表示部１１０３、リスト表示ボタン１１０４等が設定されている。
【０１２６】
住所入力部１１０１は、地図表示を行う地域の住所を入力する入力部である。送信ボタン１１０２は、住所入力部１１０１に入力された住所情報をサーバ装置１０１に対して送信するために用いられるボタンである。
【０１２７】
地図表示部１１０３は、物件データテーブル１２００に登録されている物件の位置を表示するための地図情報を表示するための表示部であり、表示縮尺指定部１１０３−１、物件フラグ１１０３−２などが表示される。
【０１２８】
表示縮尺指定部１１０３−１は、地図表示部１１０３に表示される地図の縮尺を指定するために用いられるコントロールである。このコントロールに対して指示をすることにより、地図表示部１１０３に表示されている地図の縮尺の変更指示を行うことが可能である。
【０１２９】
物件フラグ１１０３−２は、物件データテーブル１２００に登録されている物件の位置を示すフラグであって、この物件フラグ１１０３−２にマウスカーソルを合わせると、１１０３−３に示すようなバルーン表示が行われる。このバルーン表示１１０３−３内には、物件画像のサムネイル、物件概要画像データの要求を行うためのアンカー、間取り画像データの要求を行うためのアンカー、物件データテーブルの登録内容を編集するために用いられる物件概要編集アンカーなどが設定されている。
【０１３０】
また、地図表示部１１０３に表示されている地図をクリックした状態で、マウスカーソルを動かすと、地図の表示エリアを変更することが可能である。
【０１３１】
リスト表示ボタン１１０４は、地図表示部１１０３に表示されている物件フラグが示す物件の概要の一覧表示を行うために用いられるボタンであって、このボタンの押下指示を受け付けると、地図表示部１１０３の下部に、不図示の物件リスト表示部が表示され、物件の概要が表示されることになる。
【０１３２】
以上が、図１１の登録物件閲覧画面１１００の構成の一例の説明である。
【０１３３】
図８の説明に戻る。クライアント装置１０２のＣＰＵ２０１は、ステップＳ８０３で登録物件閲覧画面１１００を表示後、ステップＳ８０２で取得した物件データの位置情報に従って、登録物件閲覧画面１１００の地図表示部１１０３に物件フラグ１１０３−２を表示する（ステップＳ８０４）。その後、登録物件閲覧画面１１００を介してユーザからの操作指示を受け付ける（ステップＳ８０５）。
【０１３４】
そして、ステップＳ８０５で入力を受け付けた操作指示が、登録物件閲覧画面１１００の送信ボタン１１０２に対する押下指示を受け付けることで入力される、住所情報の送信であると判定した場合には（ステップＳ８０６でＹＥＳ）、処理をステップＳ８０７に進め、住所入力部１１０１に入力された住所情報と地図表示部１１０３の現在の表示縮尺をサーバ装置１０１に対して送信する。
【０１３５】
サーバ装置１０１のＣＰＵ２０１は、クライアント装置１０２から送信された住所情報と表示縮尺を受信すると（ステップＳ８２５）、受信した住所情報と表示縮尺から、クライアント装置１０２のディスプレイ装置２１０に表示すべき地図領域（地図表示領域）を算出する（ステップＳ８２６）。そして、処理をステップＳ８２３に進め、当該地図表示領域内の物件データ一覧を取得し、画面情報と物件データ一覧をクライアント装置１０２に送信する（ステップＳ８２４）。
【０１３６】
また、クライアント装置１０２のＣＰＵ２０１が、ステップＳ８０５で入力を受け付けた操作指示が地図表示領域の変更指示であると判定した場合には（ステップＳ８０８でＹＥＳ）、処理をステップＳ８０９に進め、変更後の地図表示領域を送信する（ステップＳ８０９）。尚、地図表示領域の変更指示には、表示縮尺指定部１１０３−１に対する操作を行うことによる入力される表示縮尺変更指示や、地図表示部１１０３に表示されている地図をクリックした状態で、マウスカーソルを動かすことにより入力される表示領域変更指示が含まれる。
【０１３７】
サーバ装置１０１のＣＰＵ２０１は、ステップＳ８０９でクライアント装置１０２から送信された地図表示領域を受信すると（ステップＳ８２７）、処理をステップＳ８２３に進め、ステップＳ８２７で取得した地図表示領域内の物件データを物件データテーブル１２００から取得し、取得した物件データの一覧と、画面情報をクライアント装置に対して送信する（ステップＳ８２４）。
【０１３８】
また、クライアント装置１０２のＣＰＵ２０１が、ステップＳ８０５で入力を受け付けた操作指示がリスト表示ボタン１１０４に対する押下指示を受け付けることにより入力されるリスト表示指示であると判定した場合には（ステップＳ８１０でＹＥＳ）、処理をステップＳ８１１に進め、サーバ装置１０１から取得済みの物件データ一覧を用いて、不図示の物件リスト表示部に物件の概要を一覧表示する。その後、処理をステップＳ８０５に処理を進める。
【０１３９】
また、クライアント装置１０２のＣＰＵ２０１が、ステップＳ８０５で入力を受け付けた操作指示が、物件フラグ１１０３−２にマウスカーソルを合わせることにより入力されるフラグ指定であると判定した場合には（ステップＳ８１２でＹＥＳ）、処理をステップＳ８１３に進め、指定された物件のバルーン１１０３−３を表示する（ステップＳ８１３）。その後処理をステップＳ８０５に処理を進める。
【０１４０】
さらに、クライアント装置１０２のＣＰＵ２０１が、ステップＳ８０５で入力を受け付けた操作指示が、バルーン１１０３−３内の物件画像サムネイルや、物件概要画像データの要求を行うためのアンカー、間取り画像データの要求を行うためのアンカーに対するクリック指示を受け付けることで入力される画像データ要求指示であると判定した場合には（ステップＳ８１４でＹＥＳ）、処理をステップＳ８１５に進め、要求を受け付けた画像データを特定し、特定した画像データをサーバ装置１０１に対して要求する（ステップＳ８１６）。
【０１４１】
サーバ装置１０１のＣＰＵ２０１は、クライアント装置１０２からの画像データ要求を受け付けると（ステップＳ８２８）、物件データテーブル１２００から要求を受け付けた画像データを取得し（ステップＳ８２９）、取得した画像データを、要求を行ってきたクライアント装置１０２に対して送信する（ステップＳ８３０）。尚、画像データを物件データテーブル１２００のデータ項目に直接記憶するのではなく、パス情報のみを記憶し、画像データ自体は物件データテーブル１２００の外に記憶している場合には、登録されているパス情報をもとにして画像データを取得し、取得した画像データをクライアント装置１０２に対して送信することになる。
【０１４２】
クライアント装置１０２のＣＰＵ２０１は、サーバ装置１０１から送信された画像データを受信すると（ステップＳ８１７）、当該画像データの表示を行う（ステップＳ８１９）。例えば、登録物件閲覧画面１１００とは別の画面をディスプレイ装置２１０に表示し、その画面上に取得した画像データを表示する。
【０１４３】
そして以上の処理を、クライアント装置１０２がステップＳ８０５で受け付けた操作指示が登録物件閲覧画面１１００の表示の終了指示であると判定するまで（ステップＳ８１９でＹＥＳと判定するまで）繰り返し行うことになる。
【０１４４】
以上が、図４のステップＳ４０６の登録データ閲覧処理の詳細な説明である。尚、図８のステップＳ８０１からステップＳ８１９の処理をスマートフォン１０５に行わせるように構成しても良い。その際には、ステップＳ８０１で物件データの一覧要求を送信する前にスマートフォン１０５のＧＰＳ機能を用いて位置情報を取得し、取得した位置情報を含めてサーバ装置１０１に対して物件データの一覧要求を行っても良い。その場合には、スマートフォン１０５を操作するユーザのデフォルトの地図表示領域ではなく、ＧＰＳ機能により取得した位置情報付近の地図表示領域が初期画面に表示されることになる。
【０１４５】
本発明では、以上のように構成することで、紙文書を読み取ることで作成される電子画像データをデータベースに登録する際に、その電子画像データを登録すべきレコードに容易に登録することが出来る。
【０１４６】
また、データベースに撮影画像データを登録することで、当該撮影画像データと対応付けてデータベースに登録する電子画像データの登録に用いられるスキャンチケットデータが作成されるので、余計な申請等も必要がなく、処理を効率的に行うことが可能となる。
【０１４７】
本発明は、例えば、システム、装置、方法、プログラム若しくは記憶媒体等としての実
施形態も可能であり、具体的には、複数の機器から構成されるシステムに適用してもよいし、また、１つの機器からなる装置に適用してもよい。
【０１４８】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１４９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１５０】
その場合、プログラムの機能を有していれば、オブジェクトコード、インタプリタにより実行されるプログラム、ＯＳに供給するスクリプトデータ等の形態であってもよい。
【０１５１】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１５２】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１５３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１５４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１５５】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１５６】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１５７】
尚、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１５８】
１０１  サーバ装置
１０２  クライアント装置
１０３  複合機
１０４  ＬＡＮ
１０５  スマートフォン
１０６  広域通信網
２０１  ＣＰＵ
２０２  ＲＡＭ
２０３  ＲＯＭ
２０４  システムバス
２０５  入力コントローラ
２０６  ビデオコントローラ
２０７  メモリコントローラ
２０８  通信インタフェース（Ｉ／Ｆ）コントローラ
２０９  入力装置
２１０  ディスプレイ装置
２１１  外部メモリ
３０１  ＣＰＵ
３０２  ＲＡＭ
３０３  ＲＯＭ
３０４  ハードディスクドライブ（ＨＤＤ）
３０５  ネットワークインタフェース（Ｉ／Ｆ）
３０６  モデム
３０７  操作部インタフェース（Ｉ／Ｆ）
３０８  操作部
３０９  システムバス
３１０  ＲＩＰ
３１１  プリンタインタフェース（Ｉ／Ｆ）
３１２  プリンタ
３１３  スキャナインタフェース（Ｉ／Ｆ）
３１４  スキャナ
３１５  画像バス
３１６  コントローラユニット
３１７  画像処理部
３１８  外部インタフェース（Ｉ／Ｆ）
３１９  カードリーダ
３２０  イメージバスインタフェース（Ｉ／Ｆ）
【図１】
0005810904.tif 000002
【図２】
0005810904.tif 000003
【図３】
0005810904.tif 000004
【図４】
0005810904.tif 000005
【図５】
0005810904.tif 000006
【図６】
0005810904.tif 000007
【図７】
0005810904.tif 000008
【図８】
0005810904.tif 000009
【図９】
0005810904.tif 000010
【図１０】
0005810904.tif 000011
【図１１】
0005810904.tif 000012
【図１２】
0005810904.tif 000013
【図１３】
0005810904.tif 000014